(57)【要約】  【課題】  光ディスク装置はディスクトレイを強い力で押しても、ディスクトレイとカムスライダーの動作の位相がずれることがなく、駆動力伝達歯車機構はギアトレイの小モジュールの歯車で形成される第１伝達歯車と歯合しており、バックラッシュを抑制することができ、ゆえに、安定して光ディスクをローディングすることができる光ディスク装置を提供する。  【解決手段】  下方に間欠部３３０を備える第１伝達歯車３３１が、上方に第２伝達歯車３３２が同一中心軸上に一体で形成されており、第１伝達歯車３３１の歯数をＺ１、モジュールをｍ１、ピッチ円径をＤＰ１とし、第２伝達歯車３３２の歯数をＺ１、モジュールをｍ２、ピッチ円径をＤＰ２とすると、それぞれ、Ｚ１＞Ｚ２、ｍ１＜ｍ２、及び、０．８×ＤＰ１＜ＤＰ２＜１．２×ＤＰ１の関係を満たすギアトレイ３３を備える光ディスク装置。【選択図】      図７
2007018661.tif 000002
【特許請求の範囲】
【請求項１】
動力源である駆動モータと、
光ディスク装置本体に対してスライドして開閉可能に設けられるものであり、前記駆動
モータの駆動力を受けるためのトレイラックと、連動機構であるガイド溝とを具備し、光
ディスクを載置できるディスクトレイと、
昇降自在に設けられ、前記駆動モータの駆動力を受けるための摺動ボスを具備するトラ
バースシャーシと、前記光ディスクに対してレーザ光を照射するとともに、該光ディスク
の内周又は外周へと往復摺動可能に設けられるものであり、ラックボスを具備し前記駆動
モータの駆動力を受けるラックを備えた光ヘッドと、前記トラバースシャーシに配置され
、前記光ディスクを回動するためのスピンドルモータ及び前記光ディスクを支持し前記ス
ピンドルモータに回動可能に取り付けられるターンテーブルとを具備する光ディスク駆動
機構と、前記ラックボスに係合するトリガーガイド及び連結ボスを具備し該光ヘッドの移
動と連動するレバートリガーと、前記駆動モータの駆動力を伝達するための駆動力伝達歯
車機構を有するトラバースユニットと、
前記駆動モータと、前記トラバースシャーシの摺動ボスと係合するカム溝、前記ディス
クトレイのガイド溝雄係合する立設ボス、前記レバートリガーの連結ボスと係合する連結
溝及びカムスライダーラックとを具備し前記トラバースシャーシ及びディスクトレイを連
動させる一方、前記レバートリガーの移動と連動するするスライダーラックと、前記駆動
力伝達歯車機構と歯合して前記駆動モータの駆動力を受ける一方、前記トラバースシャー
シの昇降によって該駆動力伝達歯車機構との歯合を解消し前記駆動力が伝達されないよう
にするための間欠部を具備し、前記カムスライダーラック及び前記トレイラックと歯合し
、所定のタイミングで駆動させるギアトレイと、前記トラバースユニットが上昇したとき
に前記ターンテーブルと前記光ディスクをチャッキングするクランプとを備えたローダー
シャーシユニットとを含む光ディスク装置であって、
前記ギアトレイは前記駆動力伝達歯車機構と歯合する第１伝達歯車と、前記トレイラッ
ク及び前記カムスライダーラックと四合する第２伝達歯車とが同一中心軸になるように連
結されており、
前記第１伝達歯車の歯数をＺ１、モジュールをｍ１、ピッチ円径をＤＰ１とし、前記第
２伝達歯車の歯数をＺ２、モジュールをｍ２、ピッチ円径をＤＰ２とすると、Ｚ１＞Ｚ２
、ｍ１＜ｍ２及び０．８×ＤＰ１＜ＤＰ２＜１．２×ＤＰ１を満たすことを特徴とする光
ディスク装置。
【請求項２】
光ディスクを載置させる摺動自在なディスクトレイと、
前記光ディスクに対してレーザ光を照射させる摺動自在な光ヘッドと、
前記光ヘッド及び前記光ディスクを支持する光ディスク駆動機構を搭載した昇降自在な
トラバースユニットと、
前記トラバースシャーシと係合し摺動することで該トラバースシャーシを昇降させるカ
ムスライダーと、
前記ディスクトレイの摺動、前記光ヘッドの摺動及び前記トラバースユニットの昇降の
動力源になる駆動モータと、
前記駆動モータ連動し駆動力を伝達するための駆動力伝達歯車機構と、
前記駆動力伝達歯車機構と歯合し、前記ディスクトレイを摺動させるためのトレイラッ
ク及びカムスライダーを摺動させるためのカムスライダーラックと歯合するギアトレイと
、
前記トラバースユニットと、前記駆動モータを支持し、前記トラバースユニットが上昇
したときに前記ターンテーブルと前記光ディスクを挟着しチャッキングするクランプとを
搭載したローダーシャーシユニットとを備えた光ディスク装置であって、
前記ギアトレイは前記駆動力伝達歯車機構と歯合する第１伝達歯車と、前記トレイラッ
ク及び前記カムスライダーラックと四合する第２伝達歯車とが同一中心軸になるように連
結されており、
前記第１伝達歯車のモジュールをｍ１とし、前記第２伝達歯車のモジュールをｍ２とす
るとｍ１＜ｍ２を満たすことを特徴とする光ディスク装置。
【請求項３】
前記第１伝達歯車の歯数をＺ１とし、前記第２伝達歯車の歯数をＺ２とすると、Ｚ１＞
Ｚ２を満たすことを特徴とする請求項２に記載の光ディスク装置。
【請求項４】
前記ギアトレイは前記駆動力伝達歯車機構と歯合する第１伝達歯車と、前記トレイラッ
ク及び前記カムスライダーラックと四合する第２伝達歯車とが同一中心軸になるように連
結されており、
前記第１伝達歯車のピッチ円径をＤＰ１とし、前記第２伝達歯車のピッチ円径をＤＰ２
とすると０．８×ＤＰ１＜ＤＰ２＜１．２×ＤＰ１を満たすことを特徴とする請求項２又
は請求項３に記載の光ディスク装置。
【発明の詳細な説明】
【技術分野】
【０００１】
本発明は、光ディスクに記録された情報を読み出す又は光ディスクに情報を記録する光
ディスク装置に関するものである。
【背景技術】
【０００２】
近年、映像、音声又は情報の記録媒体として、ＣＤ（Compact Disc）、ＤＶＤ（Digita
l Versatile Disc）等の光ディスクが多く用いられている。これら光ディスクを記録媒体
として用いる光ディスク装置は該光ディスクの記録面に対しレーザ光を照射し、反射して
きた光を検出することで、データの記録又は読出しを行っている。
【０００３】
前記光ディスク装置の多くは、前記光ディスクを載置するディスクトレイを有している
。前記光ディスク装置は前記ディスクトレイに光ディスクを載置し、該ディスクトレイを
摺動させ、該光ディスクを筐体内へ搬送（ローディング）する。そして、前記光ディスク
を駆動するためのディスク駆動手段及び該光ディスクにレーザ光を照射するための光ヘッ
ドが備えられたトラバースシャーシを上昇させ前記光ディスク駆動手段で前記光ディスク
を持ち上げると共にクランプと挟着して該光ディスクを記録／再生位置に移動する。
【０００４】
前記トラバースシャーシには摺動ボスが形成されており、前記摺動ボスと係合するカム
スライダーを摺動させ、該摺動ボスを前記カムスライダーに形成されたカム孔で押すこと
で前記トラバースシャーシを昇降させる。
【０００５】
前記ディスクトレイ及び前記カムスライダーにはラックが形成されており、駆動モータ
の駆動力を伝達する駆動力伝達機構と歯合するギアトレイと歯合している。前記カムスラ
イダーは前記ディスクトレイが所定の位置にローディングされたときに前記ディスクトレ
イに押されラックとギアトレイが歯合して駆動開始する。また、前記ギアトレイには一部
ギア歯が形成されていない間欠部を備えており、前記トラバースシャーシが上昇すると、
前記駆動力伝達機構と該ギアトレイとの歯合が外れる。これにより、前記カムスライダー
の動作を停止することができる。
【０００６】
前記駆動力伝達機構は前記光ヘッドの摺動にも用いられるものであり、駆動力伝達機構
と前記ギアトレイとの歯合が停止することで、カムスライダーの動作が停止すると共に、
光ヘッドに形成されているラックと歯合して前記光ヘッドの摺動を行う。前記ギアトレイ
のギア歯はバックラッシュを低減し、光ディスクのローディング精度を高めるために、モ
ジュールの小さな歯車が用いられている。前記ギアトレイは前記駆動力伝達機構と歯合す
る部分と、前記カムスライダー及び前記ディスクトレイに形成されるラックとは同じ形状
のギア歯と歯合している。（特開２００４−２４７００５号公報、実用新案登録第３０９
８７７０号公報等参照）
【特許文献１】特開２００４−２４７００５号公報
【特許文献２】実用新案登録第３０９８７７０号公報
【発明の開示】
【発明が解決しようとする課題】
【０００７】
前記ディスクトレイをローディングするとき使用者は、光ディスク装置に備えられてい
る挿入／排出ボタンを押すことで行うことができると共に、ディスクトレイを押すことで
もローディングすることができる。
【０００８】
しかしながら、前記ディスクトレイを押してローディングする場合、該ディスクトレイ
を押す力が強いと、前記ディスクトレイに形成されたラックと歯合するギアトレイのギア
歯に大きな力がかかり、ギアトレイを回動可能に支持している支持軸がたわむ。前記ギア
トレイの支持軸が大きくたわむと、前記ラックのギア歯とギアトレイのギア歯とが歯飛び
を起こす。
【０００９】
前記ディスクトレイのラックのギア歯と、前記ギアトレイのギア歯とが歯飛びを起こす
と、該ギアトレイとカムスライダーの位相がずれ、前記カムスライダーが摺動の途中で、
前記ギアトレイと前記駆動力歯車機構との歯合がはずれ、該カムスライダーが最後まで移
動せず、前記トラバースシャーシが上昇しきれない不具合が発生する。
【００１０】
前記カムスライダーが最後まで移動しないと、光ヘッドのラックと係合し、該光ディス
クの動作を抑制しているレバートリガーと該ラックとの係合が外れず、光ヘッドが移動で
きない不具合が発生する場合がある。また、前記トラバースシャーシの上昇が途中で停止
すると、光ディスクの挟着が不完全になり、光ディスクを安定して回転させることができ
ない。
【００１１】
そこで本発明は、上記の問題を鑑みてなされたものであり、ディスクトレイを強い力で
押しても、ディスクトレイとカムスライダーの動作の位相がずれることがなく、それだけ
安定して光ディスクをローディングすることができる光ディスク装置を提供することを目
的とする。
【課題を解決するための手段】
【００１２】
上記目的を達成するために本発明は、動力源である駆動モータと、光ディスク装置本体
に対してスライドして開閉可能に設けられるものであり、前記駆動モータの駆動力を受け
るためのトレイラックと、連動機構であるガイド溝とを具備し、光ディスクを載置できる
ディスクトレイと、昇降自在に設けられ、前記駆動モータの駆動力を受けるための摺動ボ
スを具備するトラバースシャーシと、前記光ディスクに対してレーザ光を照射するととも
に、該光ディスクの内周又は外周へと往復摺動可能に設けられるものであり、ラックボス
を具備し前記駆動モータの駆動力を受けるラックを備えた光ヘッドと、前記トラバースシ
ャーシに配置され、前記光ディスクを回動するためのスピンドルモータ及び前記光ディス
クを支持し前記スピンドルモータに回動可能に取り付けられるターンテーブルとを具備す
る光ディスク駆動機構と、前記ラックボスに係合するトリガーガイド及び連結ボスを具備
し該光ヘッドの移動と連動するレバートリガーと、前記駆動モータの駆動力を伝達するた
めの駆動力伝達歯車機構を有するトラバースユニットと、前記駆動モータと、前記トラバ
ースシャーシの摺動ボスと係合するカム溝、前記ディスクトレイのガイド溝雄係合する立
設ボス、前記レバートリガーの連結ボスと係合する連結溝及びカムスライダーラックとを
具備し前記トラバースシャーシ及びディスクトレイを連動させる一方、前記レバートリガ
ーの移動と連動するするスライダーラックと、前記駆動力伝達歯車機構と歯合して前記駆
動モータの駆動力を受ける一方、前記トラバースシャーシの昇降によって該駆動力伝達歯
車機構との歯合を解消し前記駆動力が伝達されないようにするための間欠部を具備し、前
記カムスライダーラック及び前記トレイラックと歯合し、所定のタイミングで駆動させる
ギアトレイと、前記トラバースユニットが上昇したときに前記ターンテーブルと前記光デ
ィスクをチャッキングするクランプとを備えたローダーシャーシユニットとを含む光ディ
スク装置であって、前記ギアトレイは前記駆動力伝達歯車機構と歯合する第１伝達歯車と
、前記トレイラック及び前記カムスライダーラックと四合する第２伝達歯車とが同一中心
軸になるように連結されており、前記第１伝達歯車の歯数をＺ１、モジュールをｍ１、ピ
ッチ円径をＤＰ１とし、前記第２伝達歯車の歯数をＺ２、モジュールをｍ２、ピッチ円径
をＤＰ２とすると、Ｚ１＞Ｚ２、ｍ１＜ｍ２及び０．８×ＤＰ１＜ＤＰ２＜１．２×ＤＰ
１を満たすことを特徴とする光ディスク装置を提供する。
【００１３】
上記構成によると、光ディスク装置はディスクトレイを強い力で押しても、ディスクト
レイとカムスライダーの動作の位相がずれることがない。駆動力伝達歯車機構はギアトレ
イの小モジュールの歯車で形成される第１伝達歯車と歯合しており、バックラッシュを抑
制することができる。
【００１４】
また、光ディスク装置は歯数を上述のように設定することで、前記ギアトレイでのギア
比を適切に設定することができ、駆動モータの駆動軸より出力されるトルクを大きくする
ことなく、ディスクトレイとカムスライダーの動作の位相のずれが起こらないように駆動
することができ、消費電力量、駆動モータの設置場所を小さく抑えることができる。
【００１５】
ピッチ円径を上述のように設定することで、第１伝達歯車と第２伝達歯車との大きさの
差が大きくなりすぎるのを抑制し、ギアトレイ、トレイラック、カムスライダーラックを
交換することで、ディスクトレイとカムスライダーの動作の位相のずれが起こらないよう
に駆動することができ、小変更で効果を得ることができる。
【００１６】
また、上記目的を達成するために本発明は、光ディスクを載置させる摺動自在なディス
クトレイと、前記光ディスクに対してレーザ光を照射させる摺動自在な光ヘッドと、前記
光ヘッド及び前記光ディスクを支持する光ディスク駆動機構を搭載した昇降自在なトラバ
ースユニットと、前記トラバースシャーシと係合し摺動することで該トラバースシャーシ
を昇降させるカムスライダーと、前記ディスクトレイの摺動、前記光ヘッドの摺動及び前
記トラバースユニットの昇降の動力源になる駆動モータと、前記駆動モータ連動し駆動力
を伝達するための駆動力伝達歯車機構と、前記駆動力伝達歯車機構と歯合し、前記ディス
クトレイを摺動させるためのトレイラック及びカムスライダーを摺動させるためのカムス
ライダーラックと歯合するギアトレイと、前記トラバースユニットと、前記駆動モータを
支持し、前記トラバースユニットが上昇したときに前記ターンテーブルと前記光ディスク
を挟着しチャッキングするクランプとを搭載したローダーシャーシユニットとを備えた光
ディスク装置であって、前記ギアトレイは前記駆動力伝達歯車機構と歯合する第１伝達歯
車と、前記トレイラック及び前記カムスライダーラックと四合する第２伝達歯車とが同一
中心軸になるように連結されており、前記第１伝達歯車のモジュールをｍ１とし、前記第
２伝達歯車のモジュールをｍ２とするとｍ１＜ｍ２を満たすことを特徴とする光ディスク
装置を提供する。
【００１７】
上記構成の光ディスク装置において、前記第１伝達歯車の歯数をＺ１とし、前記第２伝
達歯車の歯数をＺ２とすると、Ｚ１＞Ｚ２を満たすものであってもよい。
【００１８】
また、上記構成の光ディスク装置において、前記ギアトレイは前記駆動力伝達歯車機構
と歯合する第１伝達歯車と、前記トレイラック及び前記カムスライダーラックと歯合する
第２伝達歯車とが同一中心軸になるように連結されており、前記第１伝達歯車のピッチ円
径をＤＰ１とし、前記第２伝達歯車のピッチ円径をＤＰ２とすると０．８×ＤＰ１＜ＤＰ
２＜１．２×ＤＰ１を満たすものであってもよい。
【発明の効果】
【００１９】
本発明によると、光ディスク装置はディスクトレイを強い力で押しても、ディスクトレ
イとカムスライダーの動作の位相がずれることがなく、駆動力伝達歯車機構はギアトレイ
の小モジュールの歯車で形成される第１伝達歯車と歯合しており、バックラッシュを抑制
することができ、ゆえに、安定して光ディスクをローディングすることができる光ディス
ク装置を提供することができる。
【００２０】
また本発明によると、前記ギアトレイでのギア比を適切に設定し、駆動モータの駆動軸
より出力されるトルクを大きくすることなく、ディスクトレイとカムスライダーの動作の
位相のずれが起こらないように駆動することができ、消費電力量、駆動モータの設置場所
を小さく抑えることができる。
【００２１】
さらに本発明によると、第１伝達歯車と第２伝達歯車との大きさの差が大きくなりすぎ
るのを抑制し、ギアトレイ、トレイラック、カムスライダーラック等を交換する小変更で
、ディスクトレイとカムスライダーの動作の位相のずれが起こらないように駆動すること
ができる。
【発明を実施するための最良の形態】
【００２２】
以下に本発明の実施形態を図面を参照して説明する。図１〜図６は本発明にかかる光デ
ィスク装置を示している。図１は光ディスク装置の斜視図であり、図２は上方から見た光
ディスク装置の概略構成図を示している。図３は光ディスク装置の内部を上方から見た概
略構成図であり、図４は下方から見た光ディスク装置内部の概略構成図である。図５及び
図６はそれぞれ図３に示す光ディスク装置の内部をフロントパネル側、側方から見た概略
構成図である。なお、便宜上、図３〜図６においては、ディスクトレイ自体を省略し、後
述のガイド溝１１及びトレイラック１２のみを図示している。
【００２３】
光ディスク装置Ａはローディングされた光ディスクにレーザ光を照射し、データの読出
し及び（又は）書込みを行うものである。図２に示すように光ディスク装置Ａは、ディス
クトレイ１と、トラバースユニット２と、ローダーシャーシユニット３とを有している。
<ディスクトレイについて>
図１に示すように光ディスク装置Ａはディスクトレイ１が、外装ハウジングＯｈのフロ
ントパネルＦｐに設けられたスリット状の出入り口Ｓｔから、出入りできるように配置さ
れている。
【００２４】
ディスクトレイ１が出入り口Ｓｔより光ディスク装置Ａの外部に排出されている状態で
光ディスクを載置し、ディスクトレイ１を挿入することで光ディスクを再生／記録可能な
領域に挿入（ローディング）する。また、ディスクトレイ１を光ディスク装置Ａより排出
することで光ディスク装置Ａ内部に挿入されている光ディスクを排出（アンローディング
）する。
【００２５】
図４に示すようにディスクトレイ１の下面に段階的に屈曲するガイド溝１１と、後述の
ギアトレイ３３から駆動力を伝達されるトレイラック１２がディスクトレイ１の長手方向
に設けられている。ガイド溝１１はディスクトレイ１の摺動方向に延びる直線部１１１と
、所定の位置で斜めに屈曲する斜行部１１２と、さらに摺動方向と直交するように屈曲す
る直交部１１３とを有している。
【００２６】
なお、フロントパネルＦｐが設けられている方向をフロント側（「Ｆ」）、フロント側
に対向する方向をリア側（「Ｒ」）と表現する。また、フロント側からリア側に延びる方
向に対する垂直横行をサイド側（「Ｓ」）と表す。
<トラバースユニットについて>
図３に示すようにトラバースユニット２は、トラバースシャーシ２１に、光ヘッド４、
レバートリガー５、スピンドルモータ６、駆動力伝達歯車機構７、エンコーダ８及び突起
部２２を取り付けたものである。トラバースシャーシ２１は、ローダーシャーシ３１のリ
ア側の一端に取付ねじにてねじ止めされている。
【００２７】
図２に示すように、トラバースシャーシ２はトラバースシャーシ２１に設けられた取付
孔に、該孔自体の周囲（円周）及び軸方向の両端側を覆い、且つ、ローダーシャーシ３１
に設けられたボスを挿入できる開口を有するフローティングゴム（ダンパー）２１０を嵌
め込みにて介在させ、ボスが取付孔を貫通するように、トラバースシャーシ２１を載置し
、トラバースシャーシ２１の取付孔とローダーシャーシ３１のボスとを、取付ねじで固定
させている。
【００２８】
取付ねじは、ねじ頭とローダーシャーシ３１の間が一定の間隔になるように、取付固定
されている。この間隔を利用して、トラバースシャーシ２１（トラバースユニット２）は
取付ねじを支点として回転移動が可能となり、光ディスクからデータを読み出す又は光デ
ィスクにデータを書き込む場合には、上昇して光ディスクを挟持する（チャッキングする
）。また、光ディスクを排出する場合には、トラバースシャーシ２１（トラバースユニッ
ト２）は下降し、光ディスクがディスクトレイ１に載置された状態（光ディスクと後述の
ターンテーブルが離れている状態）にする。
【００２９】
光ヘッド３は光ディスクにレーザ光を照射してデータを読出し又は記録するものであり
、トラバースシャーシ２１に設けられたガイド軸２１１に沿って摺動するように取り付け
られている。光ディスクに対してレーザ光を照射する対物レンズ３１を備えている。また
、図示を省略しているが、レーザ光を出射するレーザ光源、光ディスクで反射したレーザ
光を受光し電気信号に変換する受光素子等の光学部品が配置されている。
【００３０】
なお、光ヘッド４には、後述の駆動モータ９の駆動力が伝達されるラック４２が設けら
れている。ラック４２は下部に光ヘッド３に一体的に形成されるメインラック４２１と、
メインラック４２１と重なるように上部に配置されるサブラック４２２とを有している。
つまり、ラック４２はメインラック４２１とサブラック４２２が重なったダルブラックと
なっている。
【００３１】
メインラック４２１は後述する第１歯車７１と歯合し、駆動モータ９の駆動力を受けて
光ヘッド４の摺動を行う。また、サブラック４２２はメインラック４２１に対してスライ
ド可能に取り付けられており、メインラック４２１とサブラック４２２はギア歯が平面視
でずれるように、コイルばねにて付勢されている。メインラック４２１とサブラック４２
２のギア歯が上述のとおりずれることで、第１歯車７１のギア歯を挟むのでバックラッシ
ュを取り除くことができる。
【００３２】
ラック４２では、サブラック４２２のギア歯がメインラック４２１のギア歯よりも長く
形成されており、サブラック４２２のギア歯がメインラック４２１のギア歯に対してリア
側に長くなるように重ねて配置される。これにより、光ヘッド４の位置によっては、メイ
ンラック４２１とサブラック４２２とが第１歯車７１と歯合している、サブラック４２２
のみが第１歯車７１と歯合している及びメインラック４２１、サブラック４２２いずれも
が第１歯車７１と歯合していない場合がある。
【００３３】
また、図４に示すように、サブラック４２１のギア歯が形成されているのと反対側には
、トラバースシャーシ２１に形成されている突起部２２と接触する門型形状の弾性部材（
板ばね４３）が備えられている。板ばね４３はサブラック４２２に固定される一対の固定
部４３１と、一対の固定部４３１をつなぐ支持部４３２と、支持部４３２の中央に固定部
と一体に形成され、突起部２２と当接する山型部４３３とを有している。また。サブラッ
ク４３２の先端には、後述するレバートリガー５のトリガーガイド５１に摺動可能に係合
するラックボス４２３が形成されている（立設されている）。
【００３４】
光ヘッド４が光ディスクの内周側に摺動し、光ヘッド４の移動の限界部まで来ると、メ
インラック４２１と第１歯車７１との歯合がはずれ、光ヘッド４の摺動は停止する。この
とき、サブラック４２２はまだ第１歯車７１と歯合しており、サブラック４２２は光ディ
スクの内周側にさらに摺動し、板ばね４３の山型部４３３とトラバースシャーシ２１に形
成されている突起部２２とが接触する。板ばね４３は一定の力以下で突起部２２と接触す
る（サブラック４２２の摺動力が小さい）と、山型部４３３が突起部２２と当接し乗り越
えることができず、停止する。また、一定の力以上で突起部２２と接触する（サブラック
４２２の摺動力が大きい）と、板ばね４３は変形し、山型部４３３が突起部２２を乗り越
えるように形成されている。
【００３５】
レバートリガー５は、ラックボス４２３が係合するトリガーガイド５１（図３参照）と
、後述のカムスライダー３４の連結溝３４１と嵌合する連結ボス５２（図４、図５参照）
とを有している。レバートリガー５はラックボス４２３の位置（移動）に応じてサイド方
向（ディスクトレイ１の移動方向に対して直行する方向）に往復移動するように、トラバ
ースシャーシ２１に取り付けられている。レバートリガー５はサブラック４２２が摺動し
、ラックボス４２３がトリガーガイド５１の側部を押すことで、サイド方向に移動する。
このとき、カムスライダー４の連結溝３４１を連結ボス５２が押し、カムスライダー３４
を移動させる。
【００３６】
スピンドルモータ６は光ディスクを支持するためのターンテーブル６１を有しており、
ターンテーブル６１はトラバースユニット２が上昇することで、ローダーシャーシユニッ
ト３に設けられたクランプ３２（図２参照）と磁力にて嵌着することで光ディスクを挟着
（チャッキング）する。このとき、クランプ３２とターンテーブル６１とは磁力にて互い
に引き合っており、光ディスクを強く挟着している。スピンドルモータ６はチャッキング
された光ディスクを回転させるモータである。チャッキングのため（ディスク再生等のた
め）の、スピンドルモータ６が搭載されたトラバースユニット２の昇降動作については後
述する。
【００３７】
トラバースシャーシ２１は、カムスライダー３４のカム溝３４３に係合する摺動ボス２
１２を有しており、カムスライダー３４の移動に連動して、トラバースシャーシ２１を昇
降させるものである。
【００３８】
駆動力伝達歯車機構７は、第１歯車７１、第２歯車７２、第３歯車７３を有している。
各歯車はトラバースシャーシ２１に回動可能に軸支持されている。駆動力伝達歯車機構７
はローダーシャーシユニット２（図６参照）に設けられる駆動モータ９からの駆動力を、
ディスクトレイ１の往復移動、光ヘッド４の往復移動及びカムスライダー３４の移動のた
めに伝達するものである。
【００３９】
第１歯車７１は、駆動モータ９の出力軸９０（後述）に取り付けられたピニオンギア９
１（後述）より、駆動力が伝達される第１大歯車７１１と、第１大歯車７１１と同一の中
心軸上、下部（ローダーシャーシ３１に近づく方向）に設けられ、光ヘッド４のラック４
２に駆動力を伝達する第１小歯車７１２とを有している。すなわち、第１大歯車７１１が
上方に、第１小歯車７１２が下方に同軸上で軸支されるように構成されている。
【００４０】
第２歯車７２は、第１歯車７１からの駆動力が伝達される第２大歯車７２１と、第２大
歯車７２１と同一の中心軸上、下部（ローダーシャーシ３１に近い方向）に設けられ、第
３歯車７３に駆動力を伝達する第２小歯車７２２とを有している。すなわち、第２大歯車
７２１が上方に、第２小歯車７２２が下方に同軸上で軸支されるように構成されている。
【００４１】
第３歯車７３は、第２小歯車７２２から駆動力を伝達される歯車であり、トラバースシ
ャーシ２１上に回動可能に軸支されている。
<ローダーシャーシユニットについて>
ローダーシャーシユニット３は、図２及び図３に示すように、ローダーシャーシ３１、
ギアトレイ３３、駆動モータ９及びカムスライダー３４を有している。ローダーシャーシ
３１は、トラバースユニット２を収容する本体シャーシであり、駆動モータ９、カムスラ
イダー３４を備えるように構成されている。
【００４２】
ギアトレイ３３は、第３歯車７３から駆動力が伝達される歯車であり、ローダーシャー
シ３１に回動可能に軸支持される。ギアトレイ３３には、軸方向に、一部欠損する欠損部
３３０（図６参照）が設けられており、第３歯車７３と歯合する場合、歯合しない場合を
角度およびトラバースユニット２の高さによって選択的に作り出すことができるようにな
っている。
【００４３】
駆動モータ９は、ディスクトレイ１の摺動動作、光ヘッド４の往復移動及びカムスライ
ダー３４の往復移動（トラバースユニット２の昇降移動）のための動力源である。駆動モ
ータ９の出力軸９０にはピニオンギア９１とスリットプレート８１がはめ込まれており、
ピニオンギア９１及びスリットプレート８１は出力軸９０と共に回転する。ピニオンギア
９１は第１大歯車７１１と歯合している。
【００４４】
カムスライダー３４は、レバートリガー５の連結ボス５２が係合する連結溝３４１（図
５参照）、ディスクトレイ１の底面のガイド溝１１に係合する立設ボス３４２（図３、５
等参照）、トラバースシャーシ２１の摺動ボス２１２と係合するカム溝３４３（図５参照
）及びギアトレイ３３と歯合するカムスライダーラック３４４とを有している。
【００４５】
カムスライダー３４は、ローダーシャーシ３１のフロント側に、ディスクトレイ１の移
動方向に対して直交する方向に摺動可能に配置されている。また、カム溝３４３は、カム
スライダー３４が配置された状態でトラバースシャーシ２１の昇降運動の上下方向に配置
される上側カム溝３４３１と下側カム溝３４３２とを有しており、上側カム溝３４３１と
下側カム溝３４３２とを連結する傾斜カム溝３４３３とを有している。カム溝３４３には
、トラバースシャーシ２１の摺動ボス２１２が貫通しており、摺動ボス２１２が上側カム
溝３４３１に位置するように移動すればトラバースシャーシ２１（トラバースユニット２
）が上昇し、下側カム溝３４３２に位置するように移動すればトラバースシャーシ２１（
トラバースユニット２）が下降する。
【００４６】
図７（Ａ）にギアトレイの側面図を、図７（Ｂ）にギアトレイの平面図を示す。図７（
Ａ）に示すようにギアトレイ３３は下方に間欠部３３０を備える第１伝達歯車３３１が、
上方に第２伝達歯車３３２が同一中心軸上に一体で形成されている。図７（Ｂ）に示すよ
うに、第２伝達歯車３３２はカムスライダーラック３４４及びトレイラック１２とが歯合
している。
【００４７】
第１伝達歯車３３１は第３歯車７３と歯合している。ここで、第１伝達歯車３３１の歯
数をＺ１、モジュールをｍ１、ピッチ円径をＤＰ１とし、第２伝達歯車３３２の歯数をＺ
１、モジュールをｍ２、ピッチ円径をＤＰ２とすると、それぞれ、Ｚ１＞Ｚ２、ｍ１＜ｍ
２、及び、０．８×ＤＰ１＜ＤＰ２＜１．２×ＤＰ１の関係を満たすように形成されてい
る。
【００４８】
第２伝達歯車３３２のモジュールｍ２が第１伝達歯車ｍ１よりも大きく作られているこ
とより、第２伝達歯車３３２のギア歯とカムスライダーラック３４４及びトレイラック１
２のギア歯が深く噛み合うので、ディスクトレイ１を強く押してもギアとびすることがな
く、カムスライダー３４とディスクトレイ１との動作の位相がずれるのを防ぐことができ
る。また、第１伝達歯車３３１のモジュールｍ１は小さく形成されているので、バックラ
ッシュを抑制することができ、それだけ、カムスライダー３４及びディスクトレイ１の動
作を円滑に、高精度で動作させることができる。
【００４９】
<各部材の移動について>
ここで各部材（光ヘッド４、トラバースユニット２、ディスクトレイ１）の移動につい
て、図１〜図１１、特に図８〜図１１を参照にしながら説明する。図８〜図１１において
「実線」は機械的固定（例えば、圧入やねじ止め等）を、「一点鎖線」はギア歯による歯
合を意味している。また、「二重線」はカムによる係合を、「破線」は、遮断された関係
を意味している。その移動工程や切り替え工程に寄与する部材については、ドットでハッ
チングしている。
【００５０】
本発明の光ディスク装置Ａにおいて光ディスクを挿入する（ローディングする）、すな
わち、ディスクトレイ１をクローズさせる場合を考える。
<ディスクトレイの移動（トレイクローズ）について（図８参照）>
ディスクトレイ１がオープンのとき、トレイラック１２とギアトレイ３３とは歯合して
いる。ピニオンギア９１と第１大歯車７１１、第１小歯車７１２と第２大歯車７２１、第
２小歯車７２２と第３歯車７３とは常時歯合しており、第２小歯車７２２と第３歯車７３
には常に駆動モータ９からの駆動力が伝達されるようになっている。
【００５１】
トラバースユニット２は下方に配置しており、第３歯車７３はギアトレイ３３の第１伝
達歯車３３１と歯合している。駆動モータ９がＡ１方向に回転することで、ギアトレイ３
３はＥ１方向に回転される。また、ギアトレイ３３のＥ１方向の回転に伴い、第２伝達歯
車３３２と歯合しているトレイラック１２もＧ１方向に移動する。すなわち、ディスクト
レイ１がリア側へと移動し、フロントパネルＦｐのスリット状の出入り口Ｓｔからディス
クトレイ１が挿入される。
<ディスクトレイの移動からトラバースユニットの移動への切り替えについて（図８参照
）>
ディスクトレイ１が一定以上挿入されると、ガイド溝１１と係合するカムスライダー３
４に形成されている立設ボス３４２がガイド溝１１の斜行部１１２へと位置し、立設ボス
３４２がＤ１方向へ、すなわちカムスライダー３４がＤ１方向へ移動する。
【００５２】
カムスライダー３４に形成されている立設ボス３４２がディスクトレイ１のガイド溝１
１に押されて、Ｄ１方向に移動すると、カムスライダーラック３４４も同時に移動し、ギ
アトレイ３３の第２伝達歯車３３２と歯合する。カムスライダー３４のカムスライダーラ
ック３４４と第２伝達歯車３３２とが歯合すると同時に、ディスクトレイ１のトレイラッ
ク１１と第２伝達歯車３３２との歯合が外れる。
<トラバースユニットの移動（上昇）について（図９参照）>
ギアトレイ３３の回動によって第２伝達歯車３３２と歯合しているカムスライダーラッ
ク３４４がさらにＤ１方向に移動する。これに伴って、カムスライダー３４のカム溝３４
３にはトラバースシャーシ２１の摺動ボス２１２が貫通しており、カムスライダー３４の
移動に連動して、摺動ボス２１２が上側カム溝３４３１、傾斜カム溝３４３３、上側カム
溝３４３２の順で移動する。すると、摺動ボス２１２の移動に伴って、トラバースシャー
シ２１がＦ１方向へ上昇する。その結果、トラバースシャーシ２１、ひいてはトラバース
ユニット２が上昇する。
【００５３】
ギアトレイ３３が回動し続けると、カムスライダー３４のカムスライダーラック３４４
はさらにＤ１方向に進み、第２伝達歯車３３２との歯合が外れる。このとき、第１伝達歯
車３３１の間欠部３３０は第３歯車７３と対面する位置に移動する。トラバースユニット
２が上昇することでトラバースユニット２に備えられた駆動力伝達歯車機構７、特に第３
歯車７３が上方に移動するので、第３歯車７３はギアトレイ３３の間欠部３３０と重なる
位置に移動し、第３歯車７３とギアトレイ３３との歯合もはずれる。
<トラバースユニットの移動から光ヘッドの移動の切り替えについて（図１０参照）>
カムスライダー３４が所定の位置に到達すると、連結溝３４１と係合するレバートリガ
ー５の連結ボス５２が連結溝３４１に押されてＤ１方向に移動する。トリガーガイド５１
と係合しているラックボス４２３が押されて、ラックボス４２３はＣ１方向に移動する。
< 光ヘッドの移動について (図１１参照) >
ラックボス４２３がＣ１方向に移動することでサブラック４２２もＣ１方向に移動し、第
１小歯車７１２と歯合する。第１小歯車７１２はＤ１方向に回転して折り、サブラック４
２２が第１小歯車７１２と歯合することで、第１小歯車７１２の駆動力がサブラック４２
２に伝達され、光ヘッド４がＣ１方向に移動する。その後、メインラック４２１も第１小
歯車７１２と歯合し、ラック４２と第１章歯車７１２とのバックラッシュが発生するのを
抑制し、光ヘッド４を精度よく摺動させることができる。
【００５４】
以上のように、ディスク装置Ａでは１つの駆動モータ９の回転によって、光ヘッド４、
トラバースユニット２、ディスクトレイ１を動作させることが可能になっている。ディス
クトレイ１は光ディスク装置Ａに備えられている光ディスク挿入／排出ボタンを押すこと
でトレイクローズがスタートするが、駆動モータ６にはセンサが取り付けられており、デ
ィスクトレイ１が押されることで駆動モータ６に電力が発生したことを検知することで、
駆動モータ６を駆動し始める。
【００５５】
ギアトレイ３３を第１伝達歯車３３１、第２伝達歯車３３２を図７に示すように形成す
ることで、ディスクトレイ１を強く押しても、トレイラック１１と第２伝達歯車３３２と
のギア歯が歯飛びすることがなく、それだけ、正確なディスクローディングを行うことが
可能である。
【産業上の利用可能性】
【００５６】
本発明は、ＤＶＤ、ＣＤ等の光ディスクを記録媒体とする光ディスク装置において適用
することができる。
【図面の簡単な説明】
【００５７】
【図１】本発明にかかる光ディスク装置の斜視図である。
【図２】本発明にかかる光ディスク装置内部の概略平面図である。
【図３】図２に示す光ディスク装置からローダーシャーシ、ディスクトレイを省略した概略構成図である。
【図４】下方から見た光ディスク装置内部の概略構成図である。
【図５】フロントパネル側から見た光ディスク装置内部の概略構成図である。
【図６】側方から見た光ディスク装置内部の概略構成図である。
【図７】図（Ａ）はギアトレイの側面図であり、図（Ｂ）はギアトレイの底面図であるである。
【図８】ディスクトレイの移動からのトラバースユニット移動への切り替えについて説明するブロック図である。
【図９】トラバースユニットの移動について説明するブロック図である。
【図１０】トラバースユニットの移動から光ヘッドの移動への切り替えについて説明するブロック図である。
【図１１】光ヘッドの移動を説明するブロック図である。
【符号の説明】
【００５８】
Ａ  光ディスク装置
１  ディスクトレイ
１１  ガイド溝
１２  トレイラック
２  トラバースユニット
２１  トラバースシャーシ
２２  突起部
３  ローダーシャーシユニット
３１  ローダーシャーシ
３２  クランプ
３３  ギアトレイ
３３１  第１伝達歯車
３３２  第２伝達歯車
３４  カムスライダー
３４４  カムスライダーラック
４  光ヘッド
４１  対物レンズ
４２  ラック
４３  板ばね
５  レバートリガー
５１  トリガーガイド
５２  連結ボス
６  スピンドルモータ
６１  ターンテーブル
７  駆動力伝達歯車機構
７１  第１歯車
７２  第２歯車
７３  第３歯車
９  駆動モータ
９０  駆動軸
９１  ピニオンギア
【図１】
2007018661.tif 000003
【図２】
2007018661.tif 000004
【図３】
2007018661.tif 000005
【図４】
2007018661.tif 000006
【図５】
2007018661.tif 000007
【図６】
2007018661.tif 000008
【図７】
2007018661.tif 000009
【図８】
2007018661.tif 000010
【図９】
2007018661.tif 000011
【図１０】
2007018661.tif 000012
【図１１】
2007018661.tif 000013